(57)【要約】【課題】大きさや形状の異なる複数の種類の商品を自由な位置に吊り下げて陳列することができ、また、各店舗で独自に工夫して商品の陳列を行うことも可能な商品吊り下げ具を提供すること。【解決手段】この発明の商品吊り下げ具は、商品を吊り下げて陳列するための商品吊り下げ具であって、フック２と台紙３からなり、フック２は商品吊り下げ用の舌片４を有し、舌片４が台紙３の前面側に露出する態様で、上部５と下部６をそれぞれ台紙３に形成した切れ目７，７に差し込んで取り付けられるようにしている。【選択図】  図３
2004344203.tif 000002
【特許請求の範囲】
【請求項１】
商品（１）を吊り下げて陳列するための商品吊り下げ具であって、フック（２）と台紙（３）からなり、フック（２）は商品吊り下げ用の舌片（４）を有し、舌片（４）が台紙（３）の前面側に露出する態様で、上部（５）と下部（６）をそれぞれ台紙（３）に形成した切れ目（７）（７）に差し込んで取り付けられるようにしていることを特徴とする商品吊り下げ具。
【請求項２】
フック（２）が、商品（１）を台紙（３）側に押さえつけるための舌片（１１）を有している請求項１記載の商品吊り下げ具。
【請求項３】
フック（２）が複数の舌片（４）を有している請求項１又は２記載の商品吊り下げ具。
【発明の詳細な説明】
【０００１】
【発明の属する技術分野】
この発明は、適宜の商品を吊り下げて陳列するための商品吊り下げ具に関するものである。
【０００２】
【従来の技術】
従来より、小さな箱入りの化粧品や食品等の商品を吊り下げて陳列するためのものとして、特許文献１に記載のような、台紙に切れ込みを設けてフックを形成し、このフックを商品の上端部に設けた穴に通すようにした商品陳列用台紙があった。
【０００３】
しかし、この商品陳列用台紙は、あらかじめ、フックを形成するための切れ込みを、吊り下げる商品の大きさや形状に合わせて設けたものとしておかなければならず、大きさや形状の異なる複数の種類の商品を自由な位置に吊り下げて陳列するようなことは困難で、大きさや形状の異なる商品を吊り下げるには、切れ込みの配置や大きさを変更した台紙を新たに作製しなければならなかった。
【０００４】
また、商品を陳列する店舗において、このような商品陳列用台紙を作製することは難しく、実際には商品を供給するメーカー側から商品陳列用台紙の提供を受けるしかなく、各店舗で独自に工夫して商品の陳列を行うようなことは不可能であった。
【０００５】
【特許文献１】
特開２００２−８５０１６号公報
【０００６】
【発明が解決しようとする課題】
そこで、この発明は、大きさや形状の異なる複数の種類の商品を自由な位置に吊り下げて陳列することができ、また、各店舗で独自に工夫して商品の陳列を行うことも可能な商品吊り下げ具を提供することを課題とする。
【０００７】
【課題を解決するための手段】
前記課題を解決するため、この発明は次のような技術的手段を講じている。
【０００８】
この発明の商品吊り下げ具は、商品１を吊り下げて陳列するための商品吊り下げ具であって、フック２と台紙３からなり、フック２は商品吊り下げ用の舌片４を有し、舌片４が台紙３の前面側に露出する態様で、上部５と下部６をそれぞれ台紙３に形成した切れ目７，７に差し込んで取り付けられるようにしている。
【０００９】
フック２は、商品１を台紙３側に押さえつけるための舌片１１を有するものとすることができる。
【００１０】
また、フック２が、複数の舌片４を有しているものとすることもできる。
【００１１】
【発明の実施の形態】
以下、この発明の実施の形態を、図面を参照して説明する。
【００１２】
この発明の商品吊り下げ具は、商品１を吊り下げて陳列するための商品吊り下げ具であって、フック２と台紙３からなり、フック２は商品吊り下げ用の舌片４を有し、舌片４が台紙３の前面側に露出する態様で、上部５と下部６をそれぞれ台紙３に形成した切れ目７，７に差し込んで取り付けられるようにしたものである。
【００１３】
図１は、この発明の実施形態の商品吊り下げ具のフック２の斜視図、図２は、台紙３の斜視図、図３は、フック２を台紙３に取り付けた状態で台紙３の前面側から見た場合の説明図、図４は、同状態で台紙３の後面側から見た場合の説明図、図５は、同状態での断面図、図６は、フック２に商品１を吊り下げた状態の説明図、図７は、商品吊り下げ具に大きさの異なる複数の種類の商品１を吊り下げて陳列した場合の斜視図である。
【００１４】
フック２は、ポリプロピレンその他適宜の可撓性を有する合成樹脂製の透明ないし半透明の板を打ち抜いて作製されたものとしている。フック２は、両端が左右方向に突出する上部５と、上下方向に延びる下部６からなる略Ｔ字状に形成されており、上部５の付け根部分の左右両側に、左右方向の切れ込み８が設けられている。また、下部６は、下方に向かって幅が小さくなる形状としている。
【００１５】
そして、フック２の下部６には、上下反転略Ｕ字状の切れ目が形成されており、この切れ目の内側部分が、吊り下げ用の舌片４となっている。この舌片４は、上方に向いている。
【００１６】
台紙３は板紙としており、各フック２を取り付ける箇所に、上下に平行な２本で１組の切れ目７，７を形成している。台紙３は、前面（表面）に適宜の文字や模様を付したものとすることができる。
【００１７】
切れ目７は、台紙３に複数行、複数列の配列を構成するように複数組設けられている。この実施形態では、切れ目７は、左右方向に３列、上下方向に等間隔に１２本設けられており、各列の任意の２本の切れ目を選んで、フック２の上部５と下部６を差し込むことができる。
【００１８】
各組のフック２の上部５を差し込む上方の切れ目７と下部６を差し込む下方の切れ目７は、いずれも同じ長さで、フック２の上部５の最大幅より短く、かつ、フック２の下部６の最大幅より長くしているが、下方の切れ目７を、少なくともフック２の下部６の一部を差し込み可能な長さで、フック２の下部６の最大幅より短くすることとしてもよい。
【００１９】
フック２を台紙３に取り付けるには、その下部６を、台紙３の後面側（裏側）から前記上方の切れ目７に差し込み、台紙３の前面側（表側）に露出させ、さらに下方の切れ目７に差し込んで、台紙３の裏側に露出させ、図３〜５に示したように、上部５と下部６の下端部が台紙３の後面側に位置した状態にする。
【００２０】
フック２は、前記上部５の付け根部分の切れ込み８を設けた部分が台紙３の各組の切れ目の上方の切れ目７に支持されるとともに、下部６が下方の切れ目７に支持され、安定した取り付け状態が保たれる。また、下方の切れ目７を、フック２の下部６の最大幅より短くしていれば、フック２の下部６は、下方の切れ目７と同じ幅の部分に達するまで差し込まれ、そこで係止されるので、よりしっかりと台紙３に取り付けられた状態になる。
【００２１】
このように台紙３に取り付けたフック２には、化粧品、食品その他各種の小物等の商品１を吊り下げて陳列することができる。商品１は、内容物を紙製の小箱に収容したものとしており、上端の縁部９に舌片４の入る孔１０が設けられたものとしている。商品１の形状や材質等は特にこれに限定されない
商品１を吊り下げるには、図６に示したように、フック２の舌片４を手前側に曲げ、商品１の前記孔１０に通す。フック２は、前述の通り台紙３に安定した状態で取り付けられているので、台紙３から脱落することはない。
【００２２】
この商品吊り下げ具は、図７に示したように、例えば大、中、小のサイズの異なる３種類の商品１を適宜の位置に吊り下げて陳列することができる。このように、この商品吊り下げ具は、様々な大きさの商品１を吊り下げることができ、また、台紙３に取り付けるフック２の個数を増減したり、位置を変更したりすることにより、商品１の配置を工夫することができる。
【００２３】
また、フック２は、大きさや厚みの異なるものを複数作製し、吊り下げる商品１の大きさや重さに応じて、使い分けることができる。
【００２４】
図８は、この商品吊り下げ具の他の実施形態のフック２の斜視図で、図９は、このフック２に商品１を吊り下げた状態を示す斜視図である。このフック２は、前述の実施形態と同様のフック２に、下方に向いた舌片１１が設けたもので、この舌片１１で商品１を台紙３側に押さえつけられるようにしている。
【００２５】
前記下方に向いた舌片１１は、前記商品１を吊り下げるための舌片４の上方に、左右に１つずつ設けられた略Ｕ字状の切れ目７の内側部分としている。このフック２は、商品１を吊り下げたときに、前記下方に向いた舌片１１で商品１の上端の縁部９を台紙３に押さえつけ、商品１を安定した状態に保つことができる。
【００２６】
図１０は、この商品吊り下げ具のさらに他の実施形態のフック２の斜視図である。このフック２は、その下部６を上下方向に長尺にし、商品１を吊り下げるための舌片４を上下方向に３つ設けたものとしている。このように、フック２を長尺にし、舌片４を上下方向に複数設けた構成とすることにより、１つのフック２で複数の商品１を吊り下げることができるので、使用するフック２の個数を減らすことができる。
【００２７】
なお、この下部６を上下方向に長尺にしたフック２は、図１や図８に示したフック２と混在させて図２に示した台紙３に取り付けることができ、その場合は、台紙３のある切れ目７に上部５を差し込み、その数段下の切れ目７に下部６を差し込んで取り付けるとよい。
【００２８】
以上のように、この商品吊り下げ具は、台紙３に適宜切れ込みを設けるだけでフック２を取り付けられ、また、大きさ、厚み、形状を異なるものとした複数の種類のフック２を用いることもでき、店舗において、独自に工夫して商品１の陳列を行うことができる。例えば、商品の売れ行きに応じて、臨機応変にフック２を適宜の位置に取り付けたり、複数の種類のフック２を使い分けたりすることが可能である。
【００２９】
また、この商品吊り下げ具に商品１を吊り下げた状態では、図７に示したように、フック２は舌片４を除いて商品１の背後に隠れ、ほとんど露出せしないため、見栄えもよい。
【００３０】
【発明の効果】
この発明の商品吊り下げ具は、上述のような構成を有しており、多種の商品１を自由な位置に吊り下げて陳列することができ、また、各店舗で独自に工夫して商品１の陳列を行うことも可能である。
【図面の簡単な説明】
【図１】この発明の実施形態の商品吊り下げ具のフックの斜視図である。
【図２】この発明の実施形態の商品吊り下げ具の台紙の斜視図である。
【図３】この発明の実施形態の商品吊り下げ具のフックを台紙に取り付けた状態の、台紙の前面側から見た場合の説明図である。
【図４】この発明の実施形態の商品吊り下げ具のフックを台紙に取り付けた状態の、台紙の後面側から見た場合の説明図である。
【図５】この発明の実施形態の商品吊り下げ具のフックを台紙に取り付けた状態の断面図である。
【図６】この発明の実施形態の商品吊り下げ具のフックに商品を吊り下げた状態を示す説明図である。
【図７】この発明の実施形態の商品吊り下げ具に大きさの異なる複数の種類の商品を吊り下げて陳列した場合の斜視図である。
【図８】この発明の他の実施形態の商品吊り下げ具のフックの斜視図である。
【図９】この発明の他の実施形態の商品吊り下げ具のフックに商品を吊り下げた状態を示す斜視図である。
【図１０】この発明のさらに他の実施形態の商品吊り下げ具のフックの正面図である。
【符号の説明】
１  商品
２  フック
３  台紙
４、１１  舌片
５  フックの上部
６  フックの下部
７  台紙の切れ目
【図１】
2004344203.tif 000003
【図２】
2004344203.tif 000004
【図３】
2004344203.tif 000005
【図４】
2004344203.tif 000006
【図５】
2004344203.tif 000007
【図６】
2004344203.tif 000008
【図７】
2004344203.tif 000009
【図８】
2004344203.tif 000010
【図９】
2004344203.tif 000011
【図１０】
2004344203.tif 000012